【手続補正書】
【提出日】平成15年10月8日(2003.10.8)
【手続補正１】
【補正対象書類名】明細書
【補正対象項目名】特許請求の範囲
【補正方法】変更
【補正の内容】
【特許請求の範囲】
【請求項１】
少なくとも，セキュリティ情報，有価価値情報が記録されている情報媒体が装着されることにより，該情報媒体に記録されている情報を読み込み遊技者の操作に基づいて遊技媒体の貸出制御を行うとともに遊技媒体の貸出制御に伴って発生する遊技媒体貸出情報を上位装置に伝達する遊技媒体貸出装置において，
前記上位装置との間で通信を行う通信手段と，
少なくとも一部にＲＯＭ領域を含み，該ＲＯＭ領域及び該ＲＯＭ領域以外の領域に渡って前記遊技媒体貸出装置の動作制御をする為の更新不能部分及び更新可能部分を含む貸出プログラムを格納するメモリ手段と，
前記貸出プログラム中の前記ＲＯＭ領域に格納された更新不能部分に従って作動し，前記上位装置より前記通信手段を介して与えられたプログラム更新指令に基づいて，前記貸出プログラム中の更新可能部分を前記上位装置より前記通信手段を介して前記メモリ手段中の前記ＲＯＭ領域以外の領域に格納する更新プログラム取込手段と，
前記メモリ手段に格納された貸出プログラムを実行して遊技媒体の貸出制御を行う貸出制御実行手段とを具備する遊技媒体貸出装置。
【請求項２】
前記メモリ手段中の前記ＲＯＭ領域以外の部分は不揮発性メモリ領域と揮発性メモリ領域とを含み，前記貸出制御制御手段は，前記不揮発性メモリ領域に記憶された貸出プログラムを前記揮発性メモリ領域に転送して，転送された貸出プログラムを順次実行して遊技媒体の貸出制御を行うことを特徴とする請求項１記載の遊技媒体貸出装置。
【請求項３】
少なくとも，セキュリティ情報，有価価値情報が記録されている情報媒体が装着されることにより，該情報媒体に記録されている情報を読み込み遊技者の操作に基づいて遊技媒体の貸出制御を行うとともに遊技媒体の貸出制御に伴って発生する遊技媒体貸出情報を上位装置に伝達する遊技媒体貸出装置において，
前記上位装置との間で通信を行う通信手段と，
少なくとも一部にＲＯＭ領域を含み，該ＲＯＭ領域及び該ＲＯＭ領域以外の領域に渡って前記遊技媒体貸出装置の動作制御をする為の更新不能部分及び更新可能部分を含む貸出プログラムを格納するメモリ手段であって該ＲＯＭ領域以外の領域は書き換えが可能な揮発性メモリ領域を少なくとも含むメモリ手段と，
前記貸出プログラム中の前記ＲＯＭ領域に格納された更新不能部分に従って作動し，前記上位装置より前記通信手段を介して与えられたプログラム更新指令に基づいて，前記貸出プログラム中の更新可能部分を前記上位装置から前記通信手段を介して前記メモリ手段中の前記揮発性メモリ手段に格納する更新プログラム取込手段と，
前記メモリ手段に格納された貸出プログラムを実行して遊技媒体の貸出制御を行う貸出制御実行手段とを具備する遊技媒体貸出装置。
【請求項４】
前記通信手段は，前記遊技媒体の貸出制御に伴って発生する遊技媒体貸出情報を含む情報の通信を行い，前記遊技媒体貸出情報を収集するための通信チャネルと，前記貸出プログラム更新用の通信チャネルとを兼用していることを特徴とする請求項１乃至請求項３記載の遊技媒体貸出装置。
【請求項５】
前記貸出プログラムの更新可能部分には情報媒体のフォーマット形式を示すフォーマット情報が含まれることを特徴とする請求項１乃至請求項４記載の遊技媒体貸出装置。
【請求項６】
前記貸出プログラム中の更新可能部分には情報媒体の真偽を示すセキュリティ情報が含まれることを特徴とする請求項１乃至請求項５記載の遊技媒体貸出装置。
【請求項７】
前記貸出プログラム中の更新可能部分には前記情報媒体に記録されている有価価値情報を前記遊技媒体に変換する際の変換レートが含まれることを特徴とする請求項１乃至請求項６記載の遊技媒体貸出装置。
【手続補正２】
【補正対象書類名】明細書
【補正対象項目名】０００５
【補正方法】変更
【補正の内容】
【０００５】
【課題を解決するための手段】
上記目的を達成する為，本発明の遊技媒体貸出装置は：少なくとも，セキュリティ情報，有価価値情報が記録されている情報媒体（例えば，後述の実施例におけるカード１４）が装着されることにより，該情報媒体に記録されている情報を読み込み遊技者の操作に基づいて遊技媒体の貸出制御を行うとともに遊技媒体の貸出制御に伴って発生する遊技媒体貸出情報を上位装置（例えば後述の実施例における情報処理装置２１や情報処理装置２５）に伝達する遊技媒体貸出装置（例えば後述の実施例におけるカード式玉貸装置１）を前提として：前記上位装置との間で通信を行う通信手段（例えば後述の実施例における一次中継機２２，二次中継機２３，通信制御装置３０）と：少なくとも一部にＲＯＭ領域（後述の実施例におけるＲＯＭ３５）を含み，該ＲＯＭ領域及び該ＲＯＭ領域以外の領域（例えば後述の実施例におけるフラッシュメモリ（ＥＥＰＲＯＭ）３４やＲＡＭ３６）に渡って前記遊技媒体貸出装置の動作制御をする為の更新不能部分及び更新可能部分を含む貸出プログラムを格納するメモリ手段（例えば後述の実施例におけるフラッシュメモリ３４，ＲＯＭ３５，ＲＡＭ３６）と：前記貸出プログラム中の前記ＲＯＭ領域に格納された更新不能部分に従って作動し，前記上位装置より前記通信手段を介して与えられたプログラム更新指令に基づいて，前記貸出プログラム中の更新可能部分を前記上位装置より前記通信手段を介して前記メモリ手段中の前記ＲＯＭ領域以外の領域に格納する更新プログラム取込手段（例えば後述の実施例におけるＣＰＵ３７）と：前記メモリ手段に格納された貸出プログラムを実行して遊技媒体の貸出制御を行う貸出制御実行手段（例えば後述の実施例におけるＣＰＵ３７）とを具備することを特徴としている。又，本発明の遊技媒体貸出装置は上記を前提として：前記メモリ手段中の前記ＲＯＭ領域以外の部分は不揮発性メモリ領域（フラッシュメモリ（ＥＥＰＲＯＭ）３４）と揮発性メモリ領域（ＲＡＭ３６）とを含み，前記貸出制御制御手段は，前記不揮発性メモリ領域に記憶された貸出プログラムを前記揮発性メモリ領域に転送して，転送された貸出プログラムを順次実行して遊技媒体の貸出制御を行うことを特徴とする。
又，本発明の遊技媒体貸出装置は：少なくとも，セキュリティ情報，有価価値情報が記録されている情報媒体が装着されることにより，該情報媒体に記録されている情報を読み込み遊技者の操作に基づいて遊技媒体の貸出制御を行うとともに遊技媒体の貸出制御に伴って発生する遊技媒体貸出情報を上位装置に伝達する遊技媒体貸出装置を前提として：前記上位装置との間で通信を行う通信手段と：少なくとも一部にＲＯＭ領域を含み，該ＲＯＭ領域及び該ＲＯＭ領域以外の領域に渡って前記遊技媒体貸出装置の動作制御をする為の更新不能部分及び更新可能部分を含む貸出プログラムを格納するメモリ手段であって該ＲＯＭ領域以外の領域は書き換えが可能な揮発性メモリ領域を少なくとも含むメモリ手段と：前記貸出プログラム中の前記ＲＯＭ領域に格納された更新不能部分に従って作動し，前記上位装置より前記通信手段を介して与えられたプログラム更新指令に基づいて，前記貸出プログラム中の更新可能部分を前記上位装置から前記通信手段を介して前記メモリ手段中の前記揮発性メモリ手段に格納する更新プログラム取込手段と：  前記メモリ手段に格納された貸出プログラムを実行して遊技媒体の貸出制御を行う貸出制御実行手段とを具備することを特徴とする。又，本発明の遊技媒体貸出装置は：上記を前提として：前記通信手段は，前記遊技媒体の貸出制御に伴って発生する遊技媒体貸出情報を含む情報の通信を行い，前記遊技媒体貸出情報を収集するための通信チャネルと，前記貸出プログラム更新用の通信チャネルとを兼用していることを特徴とする。又，本発明の遊技媒体貸出装置は：上記を前提として：前記貸出プログラムの更新可能部分には情報媒体のフォーマット形式を示すフォーマット情報が含まれることを特徴としている。又，本発明の遊技媒体貸出装置は上記を前提として：前記貸出プログラム中の更新可能部分には情報媒体の真偽を示すセキュリティ情報が含まれることを特徴とする。更に，本発明の遊技媒体貸出装置は：上記を前提として：前記貸出プログラム中の更新可能部分には前記情報媒体に記録されている有価価値情報を前記遊技媒体に変換する際の変換レートが含まれることを特徴とする。


【手続補正３】
【補正対象書類名】明細書
【補正対象項目名】００２０
【補正方法】変更
【補正の内容】
【００２０】
【発明の効果】
以上説明した様に，本発明によれば，セキュリティ維持の為に行うことを余儀なくされていたプログラムチップの定期交換等の多大なコストや労力を要する作業をソフトウェアの外部からの更新指令のみによって簡単且つ低コストに行うことが可能となり，この更新周期を変則的且つ短期間のものとすることが可能となるのでカードの偽造や改竄という不正行為を行い難くすることが可能となる。特に，上位装置との間で通信を行う通信手段を介してプログラム中の更新可能部分を変更するようにすれば，プログラムの変更処理に伴う作業量を大幅に短縮することが可能となり，更に，この通信手段として，遊技媒体の貸出制御に伴って発生する遊技媒体貸出情報を上位装置に伝達する為の通信手段を兼用する様にすれば，通信回線の増設も必要とせず，既存の設備を有効利用してセキュリティ機能を高めることが可能となる。又，本発明によれば，遊技媒体の貸出装置を出荷する際には貸出プログラム中の更新不能部分のみをＲＯＭ化しておき，更新可能部分に関してはシステム稼働時に初めてロードする様にすることが可能となるので，たとえ遊技媒体貸出装置の納品に際して装置の盗難等が発生しても重要なプログラムが漏泄する虞がなくなり，大規模な偽造組織に対する情報の供給源を遮断することが可能となる。又，貸出プログラム中の更新可能部分をＲＡＭ内に蓄積する様にした実施例の場合であれば，閉店時間中にチップの盗難等が発生しても，更新可能部分が瞬時に消滅するで，プログラムの漏泄は防止される。